(57)【要約】      （修正有）【課題】今まで廃棄されていた、窓付き封筒の切抜紙片を切抜窓部と同形のメッセージカードとして、また鑑賞のために封筒直立の台座として兼用し、切抜窓部からの内容物の表出によって、絵柄のあるポストに投函可能な簡単で個性的な郵便物を提供する。【解決手段】封筒本体の裏面に内容物が部分的に露見できる切抜窓部を形成し、その切抜紙片をメッセージカードとして利用すると共に内容物と一緒に封筒内に収納し、表面に郵便番号等の郵便物としての所望の項目欄を印刷した郵便用封筒。【選択図】図１−１
0003116365.tif 000002
【実用新案登録請求の範囲】
【請求項１】
封筒本体の裏面に形成された内容物が部分的に露見できる切抜窓部と、この本体内に内容物と共に収納され、且つメッセージカードとして用いられる前記切抜窓部の切抜紙片と更に本体表面に印刷された郵便番号等の郵便物としての所望の項目欄とで成したことを特徴とした郵便用封筒。
【請求項２】
本体の裏面は、切抜窓部以外が、文字、絵画等を描ける空白部としたことを特徴とする請求項１記載の郵便用封筒。
【請求項３】
切抜紙片は、所望により折り曲げて、本体を鑑賞するための台座としたことを特徴とする請求項１記載の郵便用封筒。
【請求項４】
封筒本体の任意の辺に設けられた糊しろをすべて封筒の内側に折り込んで露見しない様にしたことを特徴とする請求項１，２，３記載の郵便用封筒。
【考案の詳細な説明】
【技術分野】
【０００１】本考案は、郵便用封筒に関するものである。
【背景技術】
【０００２】例えば、実開昭６２−１０５１３９号の如く内容物の見える窓付き封筒は、存在するが、これは、あくまでも形式的な贈答の補助的なものにすぎなく、パーソナルコンピューターや、携帯電話での電子メールにて、手軽な情報の伝達が、好まれる一方、絵手紙の人気や手紙だけの専門店が注目される現代、より個性的な郵便での伝達を求める需要は大きいが、未だ満足するものではない。
【考案の開示】
【考案が解決しようとする課題】
【０００３】今まで廃棄されていた、窓付き封筒の切抜紙片を切抜窓部と同形のメッセージカードとして、また鑑賞のために封筒直立の台座として兼用し、切抜窓部からの内容物の表出によって、絵柄のあるポストに投函可能な簡単で個性的な郵便物を提供するものである。
【課題を解決しようとするための手段】
【０００４】上記問題点を解決するため、本考案では、封筒本体の裏面に内容物が部分的に露見できる切抜窓部を形成し、その切抜紙片をメッセージカードとして利用すると共に内容物と一緒に封筒内に収納し、表面に郵便番号等の郵便物としての所望の項目欄を印刷した郵便用封筒。
【考案の効果】
【０００５】本案は、上述のように封筒本体裏面に内容物が部分的に露見する様、切抜窓部を形成し、この切抜窓紙片をメッセージカードとして内容物と一緒に収納したから、手紙として楽しむ、内容物を使って楽しむことができ、プライバシーを保つことができる。まるでジグソーパズルの１片のように切抜窓部と全く同形のメッセージカードは、意外性がありまた窓枠とメッセージカードが同形なため、封筒本体とメッセージカードと内容物のイメージに関連を持たせる事が容易にでき、その相乗効果の大きさは、今まで廃棄されていたものをメッセージカードに兼用するエコロジカルな商品イメージとともに、消費者の購買意欲を強く喚起し、電子メールでは、できない気持の伝え方があることを消費者に認識してもらうことができる効果がある。
また本体の裏面は、切抜窓部以外が、文字、絵画等を描ける空白部としたことを特徴とするので、差出入自らが、内容物の露見部分を勘案し、余白部に文字や絵画等を描け、それは絵心が無くても絵手紙のような効果をもたらし、簡単で個性的な郵便物を演出でき、受取人は、その楽しさに心踊らすことであろう。
また切抜紙片は、所望により折り曲げて、本体を鑑賞するための台座としたことを特徴とするので、メッセージカードを読んだ後で、本体を鑑賞することができる。海外では、頂いたクリスマスカードや季節のグリーディングカードをすぐ仕舞わず、しばらく部屋の棚などに飾り、それを見る度に送り主を思い出し、あたかもその人と共に時間を過ごすように、楽しむ習慣があるが、日本でも取り入れたいものであり、本案により簡単に実現できる。
また封筒本体の任意の辺に設けられた糊しろをすべて封筒の内側に折り込んで露見しない様にしたことを特徴とするので、封筒の表も裏も美しい体裁を保つことができ、裏面の絵手紙のような効果を一層高める効果がある。
【考案を実施するための最良の形態】
【０００６】好適と考える本案の実施の形態を図面に基づいてその作用効果を示して簡単に説明する。
【図１】
の封筒本体１の裏面１ｂに内容物２が部分的に露見できる切抜窓部４を設け、透明フィルム３にて閉塞し、前記切抜窓部４の切抜紙片は、メッセージカード７として用い文章８を書くことができ、内容物と共に収納し、更に
【図５】
の本体１の表面１ａに印刷された郵便番号等の郵便物としての所望の項目欄とで成したことを特徴とした郵便用封筒なので宛先、差出入の郵便番号、住所、氏名等を記載し、簡単で個性的な郵便物として使用できる。
また内容物２を切抜窓部４から差出人自らが最良の形で、露見させ、空白部分６には、文字や絵画等を描くことができるので、簡単に絵手紙のような効果を持たせることができる。
また
【図２】
の切抜紙片であるメッセージカードの裏面７ｂには、本体を鑑賞するための台座を作成するように山折り９、谷折り１０、切り取り１１の指示線が示されていて、メッセージを読み終えた後、指示通りにすると
【図３】
の台座ができ、内容物の入った本体１を
【図４】
のように台座７ｂに差し込み、鑑賞を楽しむことができる。
また
【図７】
の展開図に示す糊しろ５を山折り線２５の指示通り封筒の内側にすべて折り込み露見しない様にしたことを特徴とするので、本体の表面も裏面も美しい体裁であり裏面の絵手紙のような効果を一層高める。
【実施例】
【０００７】本案の具体的な実施例について図面に基づいて説明する。
例えば、
【図１】
のように春の便りとすると、封筒の色は、桜色にして、桜の花弁の一片を模った切抜窓部４を設け、内容物２に桜文様のある小ふろしきの最適と思われる部分を切抜窓部４より露見させ、余白部分６に筆で、文字等を描き、落款を押すだけで、絵手紙のような効果を表す。前記切抜窓部の切抜紙片である桜の花弁の形をしたメッセージカード７ａにメッセージ８を書き、内容物２と共に封筒に収納し、糊しろ５を封筒の内側に露見しないよう封をする。切抜窓部４とメッセージカード７が同形になるために、封筒本体１とメッセージカード７と内容物２のイメージに関連を持たせることが容易で、その相乗効果は、大きい。郵便物の受取人は、統一された春のイメージの便りに心を和ませ、開封すると、封筒から零れ落ちた桜の花弁のようなメッセージカード７は、意外で、心を踊らすに違いない。封筒とメッセージカードと内容物の関係の例を
【図６−１】
から
【図６−６】
に示し、説明する。
【図６−１】
は、夏をイメージし、切抜窓部と切抜紙片であるメッセージカードの形は、金魚鉢の形とし内容物は、金魚の文様等、夏をイメージする物を収納する。
【図６−２】
は、秋をイメージし、切抜窓部と切抜紙片であるメッセージカードの形は、紅葉の形とし、内容物は、紅葉の文様等、秋をイメージする物を収納する。
【図６−３】
は、冬をイメージし、切抜窓部と切抜紙片であるメッセージカードの形は、サンタクロースが持つ袋の形とし、内容物は、クリスマスに関連した柄等、冬をイメージする物を収納する。
【図６−４】
は、結婚をイメージし、切抜窓部と切抜紙片であるメッセージカードの形は、ウェディングベルの形とし、内容物は、花束の柄等、結婚をイメージする物を収納する。
【図６−５】
は、出産をイメージし、切抜窓部と切抜紙片であるメッセージカードの形は、こうのとりが、運ぶ袋の形とし、内容物は、赤ちゃんの絵柄等出産をイメージする物を収納する。
【図６−６】
は、引越しをイメージし、切抜窓部と切抜紙片であるメッセージカードの形は、家の形とし、内容物は、花壇を想像させる花の文様等、引越しをイメージする物を収納する。更に、
【図５】
の封筒本体の表面１ａに宛先と差し出し人の郵便番号、住所、氏名を書き、郵便物として使用できるが、長さ１４〜２３．５ｃｍ、幅９〜１２ｃｍの長方形で、厚さが１ｃｍまでのもので、重量が５０ｇまでとすれば、郵便法に定められている定形郵便物として扱われる。
また郵便物を、開封し、メッセージ８を読んだ後、
【図２】
のメッセージカード裏面７ｂの山折り指示線９、谷折り指示線１０、切り取り指示線１１の指示通りにすると
【図３】
の台座となる。内容物の入った封筒を
【図４】
のように台座７ｂに差し込み、鑑賞することができる。
切抜窓部４の形状がそのままメッセージカード７となり、また本体鑑賞のための台座
【図３】
となることを考慮して、形状は、内容物のイメージと関連性を持たせながら、台座とする強度を保つために必要な面積のあるデザインにする。
【産業上の利用可能性】
【０００８】ふろしき業界において、『ふろ四季だより』と名付け、四季折々の季節感あふれる小ふろしきを内容物として例えば
【図１】
、
【図６−１】
から
【図６−３】
の封筒にメッセージカードと共に収納した状態で販売したり、あるいはメッセージカード付きの封筒と小ふろしきの組み合わせを消費者が、選べるように別々に販売すれば、ふろしきを使って楽しむだけでなく、ふろしきの柄の一部を封筒裏面の切抜窓部から露見することで、郵便物として楽しむ、台座により飾って楽しむ、という付加価値も付き、単体で販売するよりも魅力的な商品となり、更に手軽な絵手紙のような使い方が、定着すれば、季節ごとに購入するリピーターも期待できる。
また土産売場において、郵便用封筒なので、お土産を収納している旅の便りとして利用できることをアピールし、販売することができる。また
【図６−４】
のようなメッセージカード付き封筒を結婚式の案内状に利用すれば、より個性的な結婚式を求めてウェディングプランナーの活躍が、めざましい現代にふさわしく、単に結婚式の案内を通知する従来の案内状にはない期待感の高まる案内状となる。また
【図６−５】
のようなメッセージ付き封筒を出産の
【図６−６】
のようなメッセージ付き封筒を引越しの通知や内祝いに利用でき、簡単で個性的な郵便物となる。
【図面の簡単な説明】
【０００９】
【図１−１】本実施例の本体の裏面を示した平面図である．
【図１−２】本実施例のメッセージカードの表面を示した平面図である．
【図２】本実施例のメッセージカードの裏面を示した平面図である．
【図３】本実施例のメッセージカードを封筒の台座にした時の斜視図である．
【図４】本実施例の本体をメッセージカード兼用の台座で支えた時の立面図である
【図５】本実施例の本体の表面を示した平面図である。
【図６】本実施例の切抜窓部とメッセージカードの組み合わせを示した平面図である
【図６−１】夏のイメージ
【図６−２】秋のイメージ
【図６−３】冬のイメージ
【図６−４】結婚のイメージ
【図６−５】出産のイメージ
【図６−６】引越しのイメージ
【図７】本実施例の本体の展開図である。
【符号の説明】
【００１０】  １    封筒本体
１ａ  表面
１ｂ  裏面
２    内容物
３    透明フィルム
４    切抜窓部
５    糊しろ
６    空白部
７    メッセージカード
７ａ  表面
７ｂ  裏面
８    メッセージ
９    台座用山折り指示線
１０    台座用谷折り指示線
１１    台座用切り取り指示線
１２    郵便使用記載例
１３    金魚鉢の形の切抜窓部
１４    金魚鉢の形のメッセージカード
１５    もみじの形の切抜窓部
１６    もみじの形のメッセージカード
１７    サンタクロースが持つ袋の形の切抜窓部
１８    サンタクロースが持つ袋の形メッセージカード
１９    ウェディングベルの形の切抜窓部
２０    ウェディングベルの形のメッセージカード
２１    こうのとりが運ぶ袋の形の切抜窓部
２２    こうのとりが運ぶ袋の形のメッセージカード
２３    家の形の切抜窓部
２４    家の形のメッセージカード
２５    山折り線
【図１】
0003116365.tif 000003
【図１−１】
0003116365.tif 000004
【図１−２】
0003116365.tif 000005
【図２】
0003116365.tif 000006
【図３】
0003116365.tif 000007
【図４】
0003116365.tif 000008
【図５】
0003116365.tif 000009
【図６】
0003116365.tif 000010
【図６−１】
0003116365.tif 000011
【図６−２】
0003116365.tif 000012
【図６−３】
0003116365.tif 000013
【図６−４】
0003116365.tif 000014
【図６−５】
0003116365.tif 000015
【図６−６】
0003116365.tif 000016
【図７】
0003116365.tif 000017
【手続補正書】
【提出日】平成17年6月14日(2005.6.14)
【手続補正１】
【補正対象書類名】明細書
【補正対象項目名】０００７
【補正方法】変更
【補正の内容】
【０００７】本案の具体的な実施例について図面に基づいて説明する。
例えば、〔図１〕のように春の便りとすると、封筒の色は、桜色にして、桜の花弁の一片を模った切抜窓部４を設け、内容物２に桜文様のある小ふろしきの最適と思われる部分を切抜窓部４より露見させ、余白部分６に筆で、文字等を描き、落款を押すだけで、絵手紙のような効果を表す。前記切抜窓部の切抜紙片である桜の花弁の形をしたメッセージカード７ａにメッセージ８を書き、内容物２と共に封筒に収納し、糊しろ５を封筒の内側に露見しないよう封をする。切抜窓部４とメッセージカード７が同形になるために、封筒本体１とメッセージカード７と内容物２のイメージに関連を持たせることが容易で、その相乗効果は、大きい。郵便物の受取人は、統一された春のイメージの便りに心を和ませ、開封すると、封筒から零れ落ちた桜の花弁のようなメッセージカード７は、意外で、心を踊らすに違いない。  封筒とメッセージカードと内容物の関係の例を〔図６〕（１）から〔図６〕（６）に示し、説明する。〔図６〕（１）は、夏をイメージし、切抜窓部と切抜紙片であるメッセージカードの形は、金魚鉢の形とし内容物は、金魚の文様等、夏をイメージする物を収納する。〔図６〕（２）は、秋をイメージし、切抜窓部と切抜紙片であるメッセージカードの形は、紅葉の形とし、内容物は、紅葉の文様等、秋をイメージする物を収納する。〔図６〕（３）は、冬をイメージし、切抜窓部と切抜紙片であるメッセージカードの形は、サンタクロースが持つ袋の形とし、内容物は、クリスマスに関連した柄等、冬をイメージする物を収納する。
〔図６〕（４）は、結婚をイメージし、切抜窓部と切抜紙片であるメッセージカードの形は、ウェディングベルの形とし、内容物は、花束の柄等、結婚をイメージする物を収納する。〔図６〕（５）は、出産をイメージし、切抜窓部と切抜紙片であるメッセージカードの形は、こうのとりが、運ぶ袋の形とし、内容物は、赤ちゃんの絵柄等出産をイメージする物を収納する。〔図６〕（６）は、引越しをイメージし、切抜窓部と切抜紙片であるメッセージカードの形は、家の形とし、内容物は、花壇を想像させる花の文様等、引越しをイメージする物を収納する。
更に、〔図５〕の封筒本体の表面１ａに宛先と差し出し人の郵便番号、住所、氏名を書き、郵便物として使用できるが、長さ１４〜２３．５ｃｍ、幅９〜１２ｃｍの長方形で、厚さが１ｃｍまでのもので、重量が５０ｇまでとすれば、郵便法に定められている定形郵便物として扱われる。また郵便物を、開封し、メッセージ８を読んだ後、〔図２〕のメッセージカード裏面７ｂの山折り指示線９、谷折り指示線１０、切り取り指示線１１の指示通りにすると〔図３〕の台座となる。内容物の入った封筒を〔図４〕のように台座７ｂに差し込み、鑑賞することができる。
切抜窓部４の形状がそのままメッセージカード７となり、また本体鑑賞のための台座〔図３〕となることを考慮して、形状は、内容物のイメージと関連性を持たせながら、台座とする強度を保つために必要な面積のあるデザインにする。
【手続補正２】
【補正対象書類名】明細書
【補正対象項目名】０００８
【補正方法】変更
【補正の内容】
【０００８】ふろしき業界において、『ふろ四季だより』と名付け、四季折々の季節感あふれる小ふろしきを内容物として例えば〔図１〕（１）、〔図６〕（１）から〔図６〕（３）の封筒にメッセージカードと共に収納した状態で販売したり、あるいはメッセージカード付きの封筒と小ふろしきの組み合わせを消費者が、選べるように別々に販売すれば、ふろしきを使って楽しむだけでなく、ふろしきの柄の一部を封筒裏面の切抜窓部から露見することで、郵便物として楽しむ、台座により飾って楽しむ、という付加価値も付き、単体で販売するよりも魅力的な商品となり、更に手軽な絵手紙のような使い方が、定着すれば、季節ごとに購入するリピーターも期待できる。また土産売場において、郵便用封筒なので、お土産を収納している旅の便りとして利用できることをアピールし、販売することができる。      また〔図６〕（４）のようなメッセージカード付き封筒を結婚式の案内状に利用すれば、より個性的な結婚式を求めてウェディングプランナーの活躍が、めざましい現代にふさわしく、単に結婚式の案内を通知する従来の案内状にはない期待感の高まる案内状となる。また〔図６〕（５）のようなメッセージ付き封筒を出産の〔図６〕（６）のようなメッセージ付き封筒を引越しの通知や内祝いに利用でき、簡単で個性的な郵便物となる。
【手続補正３】
【補正対象書類名】明細書
【補正対象項目名】０００９
【補正方法】変更
【補正の内容】
【０００９】
【図１】本実施例郵便用封筒及びメッセージカードを示す。（１）は、切抜窓部を形成した封筒本体の裏面図。（２）は、メッセージカードの正面図。
【図２】本実施例のメッセージカードの裏面図。
【図３】本実施例のメッセージカードを封筒の台座にした時の斜視図。
【図４】本実施例の本体をメッセージカード兼用の台座で支えた時の立面図。
【図５】本実施例の本体の表面を示した正面図。
【図６】本実施例の切抜窓部とメッセージカードの組合せ図。（１）は、夏のイメージ図。（２）は、秋のイメージ図。（３）は、冬のイメージ図。（４）は、結婚のイメージ図。（５）は、出産のイメージ図。（６）は、引越しのイメージ図。
【図７】本実施例の封筒の展開図。
【手続補正４】
【補正対象書類名】図面
【補正対象項目名】全図
【補正方法】変更
【補正の内容】
【図１】
0003116365.tif 000018
【図２】
0003116365.tif 000019
【図３】
0003116365.tif 000020
【図４】
0003116365.tif 000021
【図５】
0003116365.tif 000022
【図６】
0003116365.tif 000023
【図７】
0003116365.tif 000024
【手続補正書】
【提出日】平成17年8月26日(2005.8.26)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正２
【補正方法】削除
【補正の内容】